(57)【特許請求の範囲】
【請求項１】
建物躯体に中空の庇板を接合して形成した庇体を取付部材で取付け、この庇体の基部に水切カバー材を、先端に化粧カバー材を取付けてなる建物用庇において、
上記取付部材は、庇体を取付ける横片の上側に頭を係合させてボルトを支持する係止溝
を長手方向に形成され、
上記中空の庇板は、相互の対応側面に接合用の受部と挿着部を、基端部には上下方向の孔があけられて、
この中空の庇板を、上記係止溝に頭を係合させたボルトに、孔を嵌めてナットを仮締めすることで支持させ、該ボルトとともに移動させると受部と挿着部の係合による庇板の接合が行われ、接合後にナットを本締めすると庇板の横片への固定が行われるようにしたことを特徴とする建物用庇。
【請求項２】
上記庇体の取付部材に形成される係止溝に、頭を係合させた複数のボルトを所定の間隔で支持させ、これらボルトに中空の庇板を基端にあけた孔を嵌めることでそれぞれ支持させ、中空の庇板を端部のものから順次に移動させて受部と挿着部の係合で接合し、接合されると庇板を固定する操作を行って庇体を形成する
ことを特徴とする請求項１に記載の建物用庇。
【請求項３】
上記庇体の先端側に取付けられる化粧カバー材は、開口が上側を向く樋形に形成されていることを特徴とする請求項１又は請求項２に記載の建物用庇。
【請求項４】
上記庇体の先端側に取付けられる化粧カバー材は、先端が三角状、円弧状またはコの字状に形成されていることを特徴とする請求項１又は請求項２に記載の建物用庇。
【請求項５】
上記水切カバー材の先端側と庇体との隙間及び基端側と建物躯体との隙間をコーキングで封塞させてあることを特徴とする請求項１〜請求項４の何れかに記載の建物用庇。
【請求項６】
上記庇板の側面に設ける接合用の挿着部が上側に開口する樋形に形成されていることを特徴とする請求項１〜請求項５の何れかに記載の建物用庇。
【請求項７】
上記庇体の張出しが大きくて吊りアームによる支持を必要とする場合、吊りアームを取付けられる中空の庇板は、取付部に対応する空間内に受部材を挿入し、この受部材に基端側を建物躯体に取り付たけた吊りアームの先端側に設けられる取付具をねじ等で止着してある
ことを特徴とする請求項１〜請求項６の何れかに記載の建物用庇。
【発明の詳細な説明】
【技術分野】
【０００１】
本発明は、中空の庇板を接合して形成した庇体を取付部材により建物躯体に取付ける建物用庇に関する。
【背景技術】
【０００２】
従来、建物の外壁面より前方に張り出すように設けられる庇であって、庇板と、建物の外壁面に固着され前記庇板の基端部を全幅にわたって保持する保持具と、前記庇板の先端側に装着される樋状の縁板から成り、前記庇板は、側端面を互いに突き合わせるようにして幅方向へ連結される複数の中間板材と、両側位置の中間板材の外側端面にそれぞれ装着される側板材とで構成され、各中間板材は両側端面に、各側板材は内側端面に、それぞれ他の板材と係脱可能な係合部が形成されて成る庇は知られている（例えば特許文献１参照）。
【特許文献１】特開２００７−１６２４１５号
【０００３】
しかしながら、上記庇は、図２２（ｃ）に示す通り、接合する各板材８０の基端側を建物へアンカーボルト８１で取付けられる保持具８２の垂直部８２ａへ押し付けて、接合された各板材８０の先端側が一線に揃うようにしているが、上記アンカーボルト８１は図２２（ａ）（ｂ）に示す通り、垂直部８２ａより突出して、接合する板材８０の基端側を垂直部８２ａに押し付けて保持具８２へ寄せ付けようとすると、図２２（ａ）に示す通り、基端側の側面がアンカーボルト８１へ当たって寄せ付けができない。そこで、板材８０を図２２（ａ）に鎖線で示す通り、基端側の側面がアンカーボルト８１から外れる位置まで先端側へ寄せてから矢印方向へ押す。すると、板材８０の先端側と、先の板材８０の先端側とに図２２（ｂ）に示す通り段差Ｌが生ずるので、後の板材８０の出張る部分をハンマーで叩く等して、同図に矢印で示す方向の力を加え、前後の板材８０の先端側が図２２（ｃ）に示すように揃うようにしなければならないため、作業には手間がかかって、板材８０の先端側を損傷若しくは変形をさせ易く、また、各板材８０の対応側面に形成される係合部の隙間にはシール部材を備えないから、雨水が係合部を通過して庇下へ漏れ落ち易い。更に、庇板の基端部と保持具８２の水平部との固定は、庇板の上にＬ形の固定具を添えて固定具と庇板と保持具をボルトで接合する構造であるため、構造も複雑であるという問題点があった。
【発明の開示】
【発明が解決しようとする課題】
【０００４】
本発明は、中空の庇板の基端を係止溝に頭を係合させたボルトに支持させることで、中空の庇板を移動させて接合し、接合されると即固定して水密構造の庇体を簡単迅速に形成する建物用庇を提供することをその課題とする。
【課題を解決するための手段】
【０００５】
前記課題を解決するため請求項１に係る発明は、建物躯体に中空の庇板を接合して形成した庇体を取付部材で取付け、この庇体の基部に水切カバー材を、先端に化粧カバー材を取付けてなる建物用庇において、上記取付部材は、庇体を取付ける横片の上側に頭を係合させてボルトを支持する係止溝を長手方向に形成され、上記中空の庇板は、相互の対応側面に接合用の受部と挿着部を、基端部には上下方向の孔があけられて、この中空の庇板を、上記係止溝に頭を係合させたボルトに、孔を嵌めてナットを仮締めすることで支持させ、該ボルトとともに移動させると受部と挿着部の係合による庇板の接合が行われ、接合後にナットを本締めすると庇板の横片への固定が行われるようにしたことを特徴とする。
【０００６】
請求項２に係る発明は、請求項１において、上記庇体の取付部材に形成される係止溝に、頭を係合させた複数のボルトを所定の間隔で支持させ、これらボルトに中空の庇板を基端にあけた孔を嵌めることでそれぞれ支持させ、中空の庇板を端部のものから順次に移動させて受部と挿着部の係合で接合し、接合されると庇板を固定する操作を行って庇体を形成することを特徴とする。
【０００７】
請求項３に係る発明は、請求項１又は請求項２において、上記庇体の先端側に取付けられる化粧カバー材は、開口が上側を向く樋形に形成されていることを特徴とする。
【０００８】
請求項４に係る発明は、請求項１又は請求項２において、上記庇体の先端側に取付けられる化粧カバー材は、先端が三角形、円弧状又はコの字状に形成されていることを特徴とする。
【０００９】
請求項５に係る発明は、請求項１〜請求項４のいずれかにおいて、上記水切カバー材の先端側と庇体との隙間及び基端側と建物躯体との隙間をコーキングで封塞させてあることを特徴とする。
【００１０】
請求項６に係る発明は、請求項１〜請求項５のいずれかにおいて、上記庇板の側面に設ける接合用の挿着部が上側に開口する樋形に形成されていることを特徴とする。
【００１１】
請求項７に係る発明は、請求項１〜請求項６のいずれかにおいて、上記庇体の張出しが大きくて吊りアームによる支持を必要とする場合、吊りアームを取付けられる中空の庇板は、取付部に対応する空間内に受部材を挿入し、この受部材に基端側を建物躯体に取り付たけた吊りアームの先端側に設けられる取付具をねじ等で止着してあることを特徴とする。
【発明の効果】
【００１２】
請求項１に係る発明によれば、取付部材の横片に形成した係止溝に頭を係合させてボルトを支持させ、このボルトに中空の庇板の基端部にあけた孔に嵌めて上記ボルトにナットを仮締めすると、庇板がボルトに支持されてボルトとともに移動させると庇板の一線をなす接合が行われ、接合後にボルトを本締めすると庇板を横片に固定することができるので、上記操作の繰り返しで、簡単迅速に庇体を形成することができる。
【００１３】
請求項２に係る発明によれば、所要数のボルトの頭を係止溝に係合させて所定の間隔で配列すれば、各ボルトに孔を嵌めてそれぞれ中空の庇板を取付け、庇板を一端のものから順次に押し付け接合して、接合されれば固定する操作を繰り返すことで、各庇板が一線をなすように接合された庇体の形成を一層簡単迅速に行なうことができる。
【００１４】
請求項３に係る発明によれば、庇体を流れた雨水等は開口が上側へ向く樋形の化粧カバー材に集められ、両端の排水孔から排出させることができる。
【００１５】
請求項４に係る発明によれば、複数の異なる形状の化粧カバー材を先端へ取付けることにより、意匠性が高まる。
【００１６】
請求項５に係る発明によれば、水切りカバー材の先端側と庇体との隙間及び基端側と建物躯体との隙間にコーキングを施して、これらの部分を水密的に封塞させれば、建物躯体を伝わる雨漏りの防止が効果的に行なわれる。
【００１７】
請求項６に係る発明によれば、受部と挿着部との隙間から雨水等が浸入しても、挿着部の開口が上に向く樋形にしてあるため、挿着部が雨水等を受けて庇体の排水勾配により排出して激しい雨等の場合でも庇体の雨漏りが生じない。さらに、上下に樋形を設けることで、より雨水等を受けやすく、庇体の雨漏りが生じない。
【００１８】
請求項７に係る発明によれば、吊りアームの先端側を庇材に接合する部分の強度を増して、張出しが大きい庇体でも安全、確実に支持させることができる。
【発明を実施するための最良の形態】
【００１９】
図１において符号Ａは、建物用庇を示す。この建物用庇Ａは図１に示す通り建物躯体１へ中空の庇板２を接合して形成した庇体３を取付部材４で取付け、この庇体３の基部に水切カバー材５を、先端に化粧カバー材６を取付けた構成のものである。
【００２０】
この建物用庇Ａを構成する中空の庇板２、取付部材４、水切カバー材５、化粧カバー材６は、アルミニウム等の金属材料による成形したものが多く使用されるが、これに限定されるものではなく、合成樹脂等の材料で成形したものも使用できることは勿論である。
【００２１】
上記中空の庇板２は、図２（ｂ）に示す通り、適当な幅と厚さを有する長方形断面の中空体にアルミニウム材の押出成形で形成して、一方の側面（図において右側）の上部と下部に接合用の受部７と受部８を設け、他方の側面（図において左側）の上部と下部に挿着部９と挿着部１０を設けて、これら受部７と受部８及び挿着部９と挿着部１０を差込みさせると、図１２（ｂ）に示す通り隣り合う庇板２ａと庇板２が接合されて、所要数を接合することで庇体３（図１参照）を構成する。しかし、この場合、庇体３の両端に位置する庇板２も両側に受部７と受部８及び挿着部９と挿着部１０を設けてあると、庇体３の両側面へ不用な受部７と受部８又は挿着部９と挿着部１０が露出して庇体３の外観を損なわせる。このため、左端用は図２（ａ）に示す通り左側面が挿着部のない平面である庇板２ａとし、右端用は図２（ｃ）に示す通り右側面が受部のない平面である庇板２ｂとして、外観のよい庇体３が構成されるようにする。
【００２２】
次に上記庇２の右側の側面に設けられた受部７と受部８及び左側の側面に設けられる挿着部９と挿着部１０の形状について説明する。受部７は、図１２（ａ）に示す通り側面の上部から外側へ平行に突出する短い上片７ａと上片７ａの倍長程度の下片７ｂとの間に形成された溝形であり、受部８は、側面の下部から外側へ突出させた横片８ａと縦片８ｂとで鉤形をなすものであり、挿着部９は、側面の上部から外側へ突出させた突片９ａの先端に受部７に嵌まる樋形９ｂを有するものであり、挿着部１０は、側面の下部から外側へ突出して中間に受部８に係合する段部１０ａを有し、この段部１０ａよりも外側が先上がりの斜片１０ｂとなっている。
【００２３】
また、上記受部７、受部８と挿着部９、挿着部１０は、図１３（ａ）（ｂ）（ｃ）（ｄ）に示す形状とすることができる。すなわち、各庇板２の図示右側の側面に設けられた受部７と受部８及び左側の側面に設けられる挿着部９と挿着部１０の形状を、受部７は、図１２（ａ）に示すような側面の上部から外側に平行に突出する上片７ａのみとして形成し、受部８は、側面の下部から外側へ突出させた横片８ａと縦片８ｂとからなる鉤形に形成されており、受部８の横片８ａのやや上方には下向きに突出された下向き突片８ｃが形成されている。
【００２４】
一方、挿着部９は、側面上部のやや下方から外側へ突出した突片９ａの先端が上方に曲折して受部７に嵌まる樋形９ｂとして形成し、挿着部１０は、側面下部から外側に突出して中間に受部８に差込みする段部１０ａを有し、段部１０ａより外側が上方に曲折して受部８の前記溝形に嵌まる樋形１０ｂとして形成されている。この受部７、受部８と挿着部９、挿着部１０の形状によれば、庇板２の接合における上下の係合部にはそれぞれ上向きに開口する樋形９ｂ、樋形１０ｂが形成され、庇板同士の繋ぎ部からの雨水等は上部の樋形９ｂから下向き突片８ｃにより導かれて下部の樋形１０ｂで受けるので、繋ぎ部からの雨水の漏れは防止される。雨水は庇体３から外部に排水されるため、庇体３内部に溜まることはない。
【００２５】
なお、４６はシール部材である。
【００２６】
また、庇板２、庇板２ａ、庇板２ｂは、図２（ａ）（ｂ）（ｃ）及び図１２（ａ）（ｂ）、図１３（ａ）（ｂ）もしくは（ｃ）（ｄ）に示す通り、内部の空間の中央に補強リブ１１、補強リブ１１を長手方向に形成して、これら補強リブ１１、補強リブ１１の外側面にはねじ止め用の小円溝１２、小円溝１２を長手方向に形成し、更に、裏面にはリブ１３を適当な間隔で数条長手方向に形成してあり、そして、基端側には図２（ａ）（ｂ）（ｃ）の通り後記ボルトを挿通する上下方向の孔１４を貫設してある。
【００２７】
なお、庇板２の裏面のリブ１３は、図１３（ｃ）（ｄ）に示される庇板２においては波状１３´の形状とされており、リブ１３の庇板２を採用した建物用庇Ａと波状１３´の庇板２を採用した建物用庇Ａが対比されてその横断面における様子が図１４（ａ）（ｂ）にて示されている。
【００２８】
上記取付部材４は、図１に示す通り建物躯体１に固定する縦片４ａと、庇体３の基端を支持する横片４ｂとでＬ形をなすようにアルミニウムの押出成形で形成して、その長さは取付ける庇体３の長さに合わせて設定する。この取付部材４は図３に示す通り、縦片４ａに建物躯体１にアンカーボルト１５等で取付けるための孔１６を所要数あけるとともに、縦片４ａの上端には水切カバー材５を支持する支持片１７を下向き傾斜で設け、横片４ｂの上側の幅方向の中央部には、逆Ｔ字形をなす係止溝１８を長手方向に設ける。そして、横片４ｂの前端には、係止溝１８の外壁に高さを揃えた庇板２の受片１９を設け、更に、係止溝１８の後側には、中空の庇板２の基端を当接させるＬ形の揃え片２０を付設する。また、この取付部材４は両端の開口部には、図３に示す蓋２１を取付けるため、縦片４ａと横片４ｂの接合部の内側と、横片４ｂに設けた係止溝１８と受片１９との間に、ねじ受け用の小円溝２２、小円溝２２を長手方向に形成してあり、この小円溝２２に蓋２１にあけた孔２３を通してねじ２４を締め込み、取付部材4に蓋２１の取付けを行なう。
【００２９】
上記中空の庇板２を取付部材４の横片４ｂへ取付けるボルト２５は、図１０に示す通り頭２６を上記横片４ｂに形成した係止溝１８へ係合させることで係止溝１８に支持させ、このボルト２５に中空の庇板２の基端部に貫設した孔１４を図１１のように挿し通し、ボルト２５の庇板２より上側へ出る部分に座金２７を添えたナット２８を仮締めして、ボルト２５に庇板２を支持させ、ボルト２５と共に庇板２を移動させると、庇板２が先の庇板２ａへ押し付けられて図１２（ｂ）に示す通り接合される。このように接合されたらナット２８を本締めすれば、頭２６の係止溝１８への圧着とナット２８と頭２６による挟持で、庇板２が動かないように横片４ｂへ固定される。なお、ボルト２５は、先に中空の庇板２の基端部にあけた孔１４に通して置き、後で頭２６を係止溝１８へ係合させるようにしてもよい。
【００３０】
上記の通り取付部材４の横片４ｂに庇体３が取付けられれば、この庇体３の基端部の上側には、図１の通り水切カバー材５を取付ける。この水切カバー材５は、取付部材４と同じ長さで取付部材４の横片４ｂとほぼ同じ幅を有して、基端側には取付部材４に設けた支持片１７へ重なる取付片２９を図４（ｂ）に示す通り、水切カバー材５の表面と段差３０が付くように設けられ、先端側には庇板２の表面へ下端が当る当接片３１をカバー材５の先端と段差３２が付くように設けられ、更に、水切カバー材５の裏側の両端には、ねじ受け用の小円溝３３、小円溝３３を有するようにアルミニウム材の押出成形で形成する。そして、取付片２９には複数個の孔３４をあけ、これらの孔３４にねじ３５を通して、このねじ３５で取付片２９を支持片１７へ取付ける。
【００３１】
また、中空の庇板２を接合して形成した庇体３は、先端側に空間が開口するので、この部分を蓋材３６の取付けで塞がせる。この蓋材３６は、図５（ａ）及び図６（ａ）に示す通り、庇板２と同じ長さでコ字形にアルミニウム材の押出成形で形成して、庇体３を形成する各庇板２が補強リブ１１に形成されるねじ受けの小円溝１２に対応させて孔３７をあけ、これらの孔３７にねじ３８を通して、このねじ３８で蓋材３６を庇板２へ取付ける。
【００３２】
上記蓋材３６で塞がれた庇体３の先端には、この部分を飾る化粧カバー材６を取付ける。この化粧カバー材６は庇体３の先端から雨水等が垂れないようにしたい場合は、雨樋を兼ねさせると便利である。このため、長さが庇体３と同じ長さで、幅が上記蓋材３６より若干大きいコ字形断面であり、図５（ｂ）及び図６（ｂ）に示す通り一方の壁６ａの上下には、蓋材３６を挟むように短い突片６ｂとこれよりも長い突片６ｃが形成され、他方の壁６ｄの上下には等長の突片６ｅと突片６ｆが形成され、更に、上記壁６ａは下部にまた壁６ｄは上部にそれぞれねじ受け用の小円溝３９、小円溝３９が形成されるようにアルミニウム材の押出成形で形成する。そして、蓋材３６側の上の突片６ｂには、図５（ｂ）及び図６（ｂ）に示す配置で複数個の孔４０をあけ、これらの孔４０にねじ４１を通して、このねじ４１で化粧カバー材６を蓋材３６へ取付ける。
【００３３】
上記化粧カバー材６及び蓋材３６は両端が開放しているため、この部分を閉塞する必要がある。このため、図５（ｂ）及び図６（ｂ）に示す通り化粧カバー材６及び蓋材３６の開放する部分を閉塞する蓋板４２を形成して、その先端側に化粧カバー材６から突出する上と下の突片６ｅ、突片６ｆの側端縁を覆う上と下の覆片４２ｅ、覆片４２ｆを付設する。そして、化粧カバー材６が雨樋を兼ねる場合は、雨水が溜まる部分に対応させて排水孔４３を形成し、化粧カバー材６に設けた小円溝３９に対応する部分には孔４４をあけて、これらの孔４４にねじ４５を通し、このねじ４５で蓋板４２を化粧カバー材６へ取付ける。さらに図６（ｂ）には、後述する補助樋６０に溜まる雨水を排水させる為に、補助排水孔４３’が形成されている。
【００３４】
なお、上記化粧カバー材６は、図５（ｂ）に示すコ字形タイプの場合、図５（ｃ）に示す通り他方の壁６ｄには上下に突片６ｅ、突片６ｆを有しない形状としたり、雨樋の機能を必要としない場合は、図５（ｄ）に示す通り、先下がりに傾斜する面板６ｉと水平の底板６ｊと両者を接合する補強リブ６ｋで三角形をなし、先端側の下部には垂片６ｍを有し、基端側の上下には短い突片６ｎとこれよりも長い突片６ｏが、上記蓋材３６を挟むように設けられた形状とする等、その形状を任意に変更することができる。
【００３５】
たとえば、図５（ｂ）のコ字形タイプの改良型として、図６（ｂ）に示された一方の壁６ａの背面側に補助樋６０を形成したものが提供され、この化粧カバー６においては長く延長した下方突片６ｃの先端が上方に向けて曲折されて樋状に形成され、蓋材３６を予め取付けた庇板２の先端の下部を上記下方突片６ｃの曲折上端で支持するようにして該化粧カバー６を蓋材３６に対して押し当て、該カバー６の上方突片６ｂと蓋材３６の上部突片３６ａをねじ止めすることで化粧カバー６が蓋材３６を介して庇体３の庇板２の先端に取付けられる。なお、この改良型の化粧カバー６を採用した吊りアーム５０で吊った建物用庇Ａの側面図が図７に示されている。
【００３６】
さらに、上記化粧カバー材６は、図６（ｂ）に示すコ字形タイプの場合、図７（ａ）に示す通り他方の壁６ｄには上下に突片６ｅ、突片６ｆを有しない形状としたり、任意に変更することができる。
【００３７】
また、図５（ｄ）の三角形タイプの改良型として、図７（ｂ）に示された三角形の補強リブ６ｋの背面側に補助樋６０を形成した化粧カバー６が提供され、この化粧カバー６においては長く延長した下方突片６ｏの先端が上方に向けて曲折されて樋状に形成され、蓋材３６を予め取付けた庇板２の先端の下部を化粧カバー６の下方突片６ｏの曲折上端で支持するようにして該化粧カバー６を蓋材３６に対して押し当て、該カバー６の上方突片６ｎと蓋材３６の上部突片３６ａをねじ止めすることで、化粧カバー６が蓋材３６を介して庇体３の庇板２の先端に取付けられる。
【００３８】
さらに、図７（ｃ）に示されるフラットな形状の化粧カバー６が提供され、このカバー６においては、断面コ字形をした化粧カバー６の長めに形成された下方突片６ｒ上で蓋材３６を予め取付けた庇板２の先端の下部を支持するようにして該化粧カバー６を蓋材３６に対して押し当て、該カバー６の上方突片６ｑと蓋材３６の上部突片３６ａをねじ止めすることで、化粧カバー６が蓋材３６を介して庇体３の庇板２の先端に取付けられる。
【００３９】
また、図７（ｄ）に示される補助樋６０を形成した円弧状の先端を有する丸型の化粧カバー６が提供され、このカバー６においては、円弧状をした化粧カバー６の補強リブ６ｓの長く延長した下方突片６ｕ上で蓋材３６が予め取付けられた庇板２の先端の下部を支持するようにして該化粧カバー６を蓋材３６に対して押し当て、該カバー６の上方突片６ｔと蓋材３６の上部突片３６ａをねじ止めすることで、化粧カバー６が蓋材３６を介して庇体３の庇板２の先端に取付けられる。
【００４０】
図６（ｂ）及び図７（ａ）（ｂ）（ｄ）に示された補助樋６０が形成された化粧カバー６においては、庇板２の挿着部９の上部樋形９ｂから受部８側の下向き突片８ｃ等に導かれて下部樋形１０ｂに流下した雨水は、該下部樋形１０ｂに沿って流れて庇板２の先端から補助樋６０へと流れ、補助樋６０に沿って溜まることなく流れて、その端部の補助排水孔４３’及びつなぎ部（図示せず）から排水されるので、庇体３から雨水が漏れるようなことはない。
【００４１】
上記建物用庇Ａを構成するには、建物躯体１の庇体３を取付ける位置に、図９に示す通り、取付部材４の縦片４ａを添えて孔１６に通したアンカーボルト１５等で建物躯体１へ固定する。そして、取付部材４の横片４ｂの上側に形成される係止溝１８の左端側に、図１０に示す通り頭２６を係合させてボルト２５を支持させ、このボルト２５に左端用の中空の庇板２ａの基端部にあけた孔１４を嵌めて庇板２ａを支持させ、ボルト２５に座金２７を添えたナット２８を仮締めして、庇板２ａを図１２（ａ）に示す通り左側面が横片４ｂの左端へ揃うように位置決めし、ナット２８の本締めで横片４ｂへ固定する。次に、横片４ｂの係止溝１８へ右端側からボルト２５の頭２６を係合させて、このボルト２５に基端にあけた孔１４を嵌めて次の中空の庇板２を支持させ、ボルト２５にナット２８を仮締めして、庇板２を先に取付けられている庇板２ａへ押し付けると、図１２（ｂ）の通り先の庇板２ａの側面に設けられる上の受部７と下の受部８へ、次の庇板２の側面に設けられる上の挿着部９と下の挿着部１０が差込みして両庇板２ａと庇板２を接合する。このとき、上の挿着部９は樋形９ｂに形成されて、図１２（ａ）（ｂ）に示す通り、シール部材４６を挿入され、シール部材４６で受部７と挿着部９の隙間を密封するので、これに伴い、ナット２８を本締めして庇板２を横片４ｂに固定し、係止溝１８に次のボルト２５を頭２６を係合させることでボルト２５を支持させ、このボルト２５にその次の庇板２の基端部にあけた孔１４を嵌めてボルト２５にナット２８を仮締めし、この庇板２を先の庇板２へ押し付けることで接合し、接合されたらナット２８の本締めにより庇板２を固定する操作を繰り返せば、係止溝１８による庇板２の移動案内で全ての庇板２の先端側が一線をなすように揃って、しかも水密が保持されるように接合された庇体３が構成される。なお、図１４（ａ）（ｂ）のように、庇板２ａの左側面を横片４ｂの左端から突出して取り付けてもよい。
【００４２】
さらに、形状が異なる上述の図１３（ａ）（ｂ）、（ｃ）（ｄ）に示される受部７、受部８と挿着部９、挿着部１０を備えた庇板２、庇板２ａ、庇板２ｂの接合においても、該接合は上記接合と同様に行なわれ、庇板２を先に取付けられている庇板２ａに押し付けることで、庇板２ａの側面に設けられた上片７ａである上の受部７と、横片８ａと縦片８ｂが鉤形となる下の受部８がそれぞれ、庇板２の側面に設けた突片９ａの先端が上方に曲折する樋形９ｂである上の挿着部９と、突片段部１０ａの外側の上方曲折部からなる樋形１０ｂである下の挿着部１０に差込みされて、シール部材４６で隙間が密封され、これにより、庇板２ａと２の接合における上下の挿着部９、挿着部１０にそれぞれ上向き開口の樋形９ｂ、１０ｂを形成されている為、雨水の漏れがない水密保持に優れた接合がなされた庇体３が同様に構成される。
【００４３】
このように庇体３が形成されたら、その基端部の上側に図１５に示す通り、水切カバー材５を基端部に設けた取付片２９が取付部材４の縦片４ａの上端に設けられた支持片１７へ重なり、先端側に設けた当接片３１の下端が庇体３の上面へ当るように置いて、取付片２９にあけた孔３４にねじ３５を通して支持片１７に締め付ければ、水切カバー材５は取付部材４に支持されて庇体３の基端部を覆うから、図１５及び図１６に示す通り取付片２９の上側に段差３０で形成される凹部４７と、当接片３１の外側に段差３２で形成される凹部４８とにそれぞれコーキング４９を充填して庇体３と水切カバー材５の先端との隙間及び建物躯体１と水切カバー材５の基端との隙間を封塞した後、庇体３の先端には蓋材３６と化粧カバー材６とを取付ければ、中空の庇板２の接合による建物用庇Ａを簡単且つ迅速に形成することができる。
【００４４】
また、建物用庇Ａの構成は、取付部材４の横片４ｂに設けた係止溝１８に、図１７に示す通り、頭２６を係合させることでボルト２５の複数を所定の間隔で支持させて置き、これらボルト２５に基端にあけた孔１４を嵌めて中空の庇板２をそれぞれ支持させる。そして、図面には示してないが、各ボルト２５にナット２８を仮締めして、先ず左端の庇板２ａをナット２８を本締めすることで横片４ｂへ固定し、後に続く庇板２を順次に移動させて、先の庇板２ａへ押し付けて、側面に設けた受部７、受部８と挿着部９、挿着部１０を差込みさせることで接合し、接合されたらナット２８の本締めで庇板２を横片４ｂに固定する操作を繰り返し行ない、必要数の庇板２を接合して庇体３を形成してもよい。
【００４５】
図８、図１８及び図１９は、庇板２が建物躯体１よりの張り出しが大きいため、吊りアームで建物躯体1へ吊ることで安定させた建物用庇Ａを示す。この建物用庇Ａの構成は上記と同様であるので、以下に吊りアームと該吊りアームを庇体へ取付ける構造に付いて説明する。
【００４６】
吊りアーム５０は、図８に示す通り円筒で形成して、基端部に横方向の孔５１を図１８に示す通り貫設し、先端部の内側にはナット５２を固定し、このナット５２に一方と他方に左ねじ５３ａと右ねじ５３ｂを形成した調整ボルト５３の例えば左ねじ５３ａを螺合させ、右ねじ５３ｂは、連結駒５４に固定したナット５５に螺合させるとともに、上記左ねじ５３ａと右ねじ５３ｂにはそれぞれロックナット５６、ロックナット５７を螺合させて、調整ボルト５３を回転させる方向を変えると吊りアーム５０と連結駒５４との距離が変化して、庇体３の適切な吊りが行なえるようになる。
【００４７】
上記吊りアーム５０を建物躯体１へ取付ける取付具５８は、図２０（ａ）に示す通り建物躯体１へ取付ける基片５８ａの両側中央部から吊りアーム５０の基端を挟む一対の支持片５８ｂ、支持片５８ｂを突出させたもので、基片５８ａの両端部にはそれぞれアンカーボルト５９を通す孔６０をあけ、一対の支持片５８ｂ、支持片５８ｂの先端にはそれぞれ吊りアーム５０の取付軸６１を通す孔６２をあけてある。
【００４８】
上記吊りアーム５０へ調整ボルト５３で取付けられる連結駒５４を庇板２へ取付ける取付具６３は、図２０（ｂ）に示す通り庇板２へ取付ける基片６３ａの両側中央部から連結駒５４を挟む一対の支持片６３ｂ、支持片６３ｂを突設させたもので、基片６３ａの両端部にはそれぞれ後記ボルトを通す孔６４をあけ、一対の支持片６３ｂ、支持片６３ｂの先端にはそれぞれ連結駒５４の取付軸６５を通す孔６６をあけてある。
【００４９】
次に、庇板２へ連結駒５４を強固に取付けるためには、庇板２の空間に収まる受部材を用いる。この受部材６７は、図１９及び図２１（ａ）（ｂ）に示す通り、側板６７ａ、側板６７ａを離隔する一対のリブ６７ｂ、リブ６７ｂで接合して庇板２の内部空間６８へ収まるように形成したものであって、リブ６７ｂ、リブ６７ｂの外側には図２１（ａ）に示される長ナット６９、長ナット６９の収容部７０、収容部７０を設け、リブ６７ｂ、リブ６７ｂの内面にはそれぞれねじ受け用の小円溝７１、小円溝７１を形成し、上記長ナット６９、長ナット６９の収容部７０、収容部７０にはリブ６７ｂ、リブ６７ｂの外側に突出して長ナット６９、長ナット６９の稜の１つを挟む一対の突起７２、突起７２を設け、側板６７ａ、側板６７ａの先端には長ナット６９、長ナット６９の他の稜を挟む折曲部７３、折曲部７３を設けて、長ナット６９、長ナット６９の空転を止めるようにしてある。
【００５０】
上記受部材６７は、図２１（ｂ）に示す通り、収容部７０、収容部７０にそれぞれ長ナット６９、長ナット６９を収容して、庇板２の空間６８内へ挿入し、図２（ｂ）に示す通り庇板２の上面にあけたボルト孔７４、ボルト孔７４に長ナット６９、長ナット６９が、ねじ孔７５、ねじ孔７５に小円溝７１、小円溝７１が一致したとき止めて、ねじ孔７５、ねじ孔７５から小円溝７１、小円溝７１にねじ７６、ねじ７６（図１９参照）を締め込んで受部材６７を庇板２へ固定する。そして、吊りアーム５０を降下させて先端に支持される連結駒５４が受部材６７に対応したら、ボルト７７、ボルト７７を長ナット６９、長ナット６９へ捻じ込めば、受部材６７に連結駒５４が連結されるため、庇体３が吊りアーム５０で建物躯体１へ吊られて張り出しが大きい庇体３の場合でも安定した保持が行なわれる。
【産業上の利用可能性】
【００５１】
中空の庇材の所要数を接合すると所要寸法の庇体が簡単に構成される建物用庇として利用できる。
【図面の簡単な説明】
【００５２】
【図１】本発明に係る建物用庇の縦断側面図。
【図２】（ａ）（ｂ）（ｃ）は中空の庇板の３タイプを示す斜視図。
【図３】庇体の取付部材とその側端を塞ぐ蓋板を示す斜視図。
【図４】（ａ）（ｂ）は水切カバー材の斜視図及び拡大端面図。
【図５】（ａ）（ｂ）（ｃ）（ｄ）は、庇体の先端蓋材と化粧カバー材の斜視図及び化粧カバー材の変形例を示す端面図。
【図６】（ａ）は蓋材の斜視図（ｂ）は化粧カバー材の分解斜視図
【図７】（ａ）（ｂ）（ｃ）（ｄ）は化粧カバー材の更なる変形例を示す図。
【図８】改良型の化粧カバー材が取付けられた吊りアームで吊った建物用庇を示す側面図。
【図９】取付部材を建物躯体に取付けた説明図。
【図１０】取付部材の横片に設けた係止溝にボルトを支持させ、このボルトに中空の庇板を支持させようとする説明図。
【図１１】ボルトに中空の庇板を支持させた説明図。
【図１２】（ａ）（ｂ）は、隣り合う中空の庇板を接合するために押し付ける前と、押し付けて接合した後を示す説明図。
【図１３】（ａ）（ｂ）（ｃ）（ｄ）は、他の接合形状を備えた庇板の接合における押し付ける前と、押し付けて接合した後を示す説明図。
【図１４】裏面の形状が異なる庇板を採用した２つの建物用庇の構造を対比させた該建物用庇の横断面図。
【図１５】水切カバー材を取付部材に設けた支持片と庇体の上面に支持させて置いた説明図。
【図１６】取付部材へ取付けた水切カバー材の先端側と基端側に形成される凹部へそれぞれコーキングを充填して、水切カバー材と庇体の隙間及び水切カバー材と建物躯体との隙間を封塞させた説明図。
【図１７】中空の庇板を接合して庇体を構成する他の例を示す説明図。
【図１８】吊りアームの基端と取付部材との連結構造を示す拡大図。
【図１９】吊りアームの先端と庇体との連結構造を一部縦断して示す拡大図。
【図２０】（ａ）（ｂ）は、吊りアームの基端側の取付具と先端側の取付具を示す斜視図。
【図２１】（ａ）（ｂ）は、吊りアームの受部材を分解した斜視図と組み立てて庇板の空間へ挿入する説明図。
【図２２】（ａ）（ｂ）（ｃ）は、従来の建物用庇の中空の庇板を接合する状態の説明図。
【符号の説明】
【００５３】
Ａ  建物用庇
１  建物躯体
２  庇板
３  庇体
４  取付部材
４ｂ  横片
５  水切カバー材
６  化粧カバー材
７、８  受部
９、１０  挿着部
１８  係止溝
２５  ボルト
２６  頭
２８  ナット
４６  シール部材
【図１】
0004993763.tif 000002
【図２】
0004993763.tif 000003
【図３】
0004993763.tif 000004
【図４】
0004993763.tif 000005
【図５】
0004993763.tif 000006
【図６】
0004993763.tif 000007
【図７】
0004993763.tif 000008
【図８】
0004993763.tif 000009
【図９】
0004993763.tif 000010
【図１０】
0004993763.tif 000011
【図１１】
0004993763.tif 000012
【図１２】
0004993763.tif 000013
【図１３】
0004993763.tif 000014
【図１４】
0004993763.tif 000015
【図１５】
0004993763.tif 000016
【図１６】
0004993763.tif 000017
【図１７】
0004993763.tif 000018
【図１８】
0004993763.tif 000019
【図１９】
0004993763.tif 000020
【図２０】
0004993763.tif 000021
【図２１】
0004993763.tif 000022
【図２２】
0004993763.tif 000023